(57)【要約】【課題】不適合なソケットに誤装着されるのを防止できる直管形ランプ、およびこの直管形ランプを装着できるソケットを備えたランプシステムを提供する。【解決手段】ランプシステム10は、直管形ランプ13、およびソケット14を備える。直管形ランプ13は、半導体発光素子を収容した直管状の少なくとも一部に透光性を有するカバー20、およびカバー20の両端に配置された口金23を有する。口金23の端面に、先端がそれぞれ外側方向へ向けて突出する一対のランプピン30を突設するとともに誤装着防止突起31を突設する。ソケット14は、外側面から一対のランプピン30が挿入されて前面側に配置された直管形ランプ13を回転させることで直管形ランプ13を装着する。ソケット14は、一対のランプピン30の挿入および回転に伴って誤装着防止突起31が挿入および回転移動する凹部63を有する。【選択図】図１
2014067499.tif 000002
【特許請求の範囲】
【請求項１】
半導体発光素子を収容した直管状の少なくとも一部に透光性を有するカバー、およびカバーの両端に配置された口金を有し、少なくとも一端側の口金の端面に、先端がそれぞれ外側方向へ向けて突出する一対のランプピンが突設されるとともに誤装着防止突起が突設された直管形ランプと；
外側面に一対のランプピンが挿入される挿入口が形成されているとともに前面側の受金面に挿入口と連通されていて挿入された一対のランプピンが回転する開口部が形成されたソケット本体、ソケット本体の開口部に配置され一対のランプピンが挿入される溝部が形成されていて挿入された一対のランプピンとともに回転する回転子、回転された一対のランプピンが接続される一対の端子、一対のランプピンの挿入および回転に伴って誤装着防止突起が挿入および回転移動する凹部を有するソケットと；
を具備していることを特徴とするランプシステム。
【請求項２】
誤装着防止突起は、口金の端面において一対のランプピンの間に配置され、
凹部は、ソケット本体の挿入口および回転子の溝部と共用されている
ことを特徴とする請求項１記載のランプシステム。
【請求項３】
誤装着防止突起の幅は、一対のランプピンの幅より広く形成されている
ことを特徴とする請求項２記載のランプシステム。
【請求項４】
誤装着防止突起の幅は、一対のランプピンの幅以下に形成されている
ことを特徴とする請求項２記載のランプシステム。
【請求項５】
誤装着防止突起は、口金の端面において一対のランプピンの最外径部を通る仮想円より外側に配置され、
凹部は、ソケット本体の周辺部に設けられている
ことを特徴とする請求項１記載のランプシステム。
【請求項６】
凹部は、ソケット本体の周辺部で挿入口の片側に設けられている
ことを特徴とする請求項５記載のランプシステム。
【請求項７】
凹部は、ソケット本体の周辺部で挿入口の両側に設けられている
ことを特徴とする請求項５記載のランプシステム。
【請求項８】
誤装着防止突起は、口金の端面において一対のランプピンの対向する方向に対して交差する方向の２箇所に配置され、
凹部は、ソケット本体および回転子に設けられている
ことを特徴とする請求項１記載のランプシステム。
【請求項９】
直管形ランプは、交流電源を変換して半導体発光素子に供給する電源回路を内蔵しており、両端の口金にそれぞれ一対のランプピンが突設され、一端側の一対のランプピンが電源回路にそれぞれ接続され、他端側の一対のランプピンが短絡され、
両端のソケットのそれぞれ一方の端子に交流電源が供給され、両端のソケットの他方の端子が接続されている
ことを特徴とする請求項１ないし８いずれか一記載のランプシステム。
【請求項１０】
直管形ランプの両端の口金にそれぞれ一対のランプピンが突設され、
一端側のソケットは装着された直管形ランプの一端側の口金のランプピンを軸方向に対して保持し、他端側のソケットは装着された直管形ランプの他端側の口金のランプピンを端子に接続した状態で軸方向に移動可能とする
ことを特徴とする請求項１ないし８いずれか一記載のランプシステム。
【発明の詳細な説明】
【技術分野】
【０００１】
本発明の実施形態は、直管形ランプおよびソケットを用いたランプシステムに関する。
【背景技術】
【０００２】
従来、日本電球工業会規格ＪＥＬ８０１「Ｌ形口金付直管形ＬＥＤランプシステム」に準拠した直管形ランプおよびこの直管形ランプを装着するソケットを用いたランプシステムがある。
【先行技術文献】
【特許文献】
【０００３】
【特許文献１】特開２０１２−１４２１９８号公報
【発明の概要】
【発明が解決しようとする課題】
【０００４】
ＪＥＬ８０１に準拠した直管形ランプとは電気特性の異なる直管形ランプを提供しようとする場合、ＪＥＬ８０１に準拠した口金を用いると、電気特性の異なる直管形ランプがＪＥＬ８０１に準拠したソケットに誤装着できてしまい、直管形ランプとソケットを用いた器具側とで電気特性の不一致が生じる問題がある。
【０００５】
本発明が解決しようとする課題は、不適合なソケットに誤装着されるのを防止できる直管形ランプ、およびこの直管形ランプを装着できるソケットを備えたランプシステムを提供することである。
【課題を解決するための手段】
【０００６】
実施形態のランプシステムは、直管形ランプ、およびソケットを備える。直管形ランプは、半導体発光素子を収容した直管状の少なくとも一部に透光性を有するカバー、およびカバーの両端に配置された口金を有する。口金の端面に、先端がそれぞれ外側方向へ向けて突出する一対のランプピンを突設するとともに誤装着防止突起を突設する。ソケットは、外側面に一対のランプピンが挿入される挿入口が形成されているとともに前面側の受金面に挿入口と連通されていて挿入された一対のランプピンが回転する開口部が形成されたソケット本体、ソケット本体の開口部に配置され一対のランプピンが挿入される溝部が形成されていて挿入された一対のランプピンとともに回転する回転子、回転された一対のランプピンが接続される一対の端子を有する。ソケットは、一対のランプピンの挿入および回転に伴って誤装着防止突起が挿入および回転移動する凹部を有する。
【発明の効果】
【０００７】
本発明によれば、直管形ランプの口金に誤装着防止突起を突設し、ソケットに一対のランプピンの挿入および回転に伴って誤装着防止突起が挿入および回転移動する凹部を設けることにより、適合している直管形ランプをソケットに装着できるとともに、この直管形ランプを凹部を備えていない不適合なソケットに誤装着されるのを防止することが期待できる。
【図面の簡単な説明】
【０００８】
【図１】第１の実施形態を示すランプシステムの直管形ランプおよびソケットの斜視図である。
【図２】同上直管形ランプの斜視図である。
【図３】同上ソケットの分解状態の斜視図である。
【図４】同上ランプシステムの電気配線回路を示す回路図である。
【図５】同上ランプシステムの照明器具の斜視図である。
【図６】第２の実施形態を示すランプシステムの直管形ランプおよびソケットの斜視図である。
【図７】第３の実施形態を示すランプシステムの直管形ランプおよびソケットの斜視図である。
【図８】第４の実施形態を示すランプシステムの直管形ランプおよびソケットの斜視図である。
【図９】第５の実施形態を示すランプシステムの直管形ランプおよびソケットの斜視図である。
【発明を実施するための形態】
【０００９】
以下、第１の実施形態を、図１ないし図５を参照して説明する。
【００１０】
図５にランプシステム（ＬＥＤランプシステム）10の照明器具11の斜視図を示す。照明器具11は、例えば２灯用の埋込形照明器具である。
【００１１】
ランプシステム10は、長尺な器具本体12、この器具本体12内に配置される直管形ランプ13、および器具本体12の両端に対向配置されて直管形ランプ13の両端が装着されるソケット14，15などを備えている。
【００１２】
図２に示すように、直管形ランプ13は、少なくとも一部に透光性を有するカバーとしての円筒状の透光性カバー20、この透光性カバー20内に収容された発光モジュール21および電源回路22、および透光性カバー20の両端部にそれぞれ配設された口金23，24を備えている。
【００１３】
発光モジュール21は、例えばＬＥＤ素子やＥＬ素子などの複数の半導体発光素子26、および複数の半導体発光素子26が実装された基板27を備えている。半導体発光素子26がＬＥＤ素子の場合には、表面実装形のＳＭＤ（Surface Mount Device）パッケージを基板27に実装したり、複数のＬＥＤ素子を基板27に実装するＣＯＢ（Chip On Board）モジュールが用いられる。
【００１４】
電源回路22は、一端側の口金23から交流電源を入力し、半導体発光素子26を点灯させるための例えば直流電力に変換して発光モジュール21に供給する。
【００１５】
両端の口金23，24は、共通の形状および構造を有している。図１に示すように、両端の口金23，24（図１には口金23のみを示すが、口金24も同形状）の端面には、直管形ランプ13の管軸を通り径方向に沿って突出する突条部29が形成され、この突条部29から管軸を中心として一対のランプピン30が突出されている。一対のランプピン30は、断面四角形状の平金属板にて形成されており、直管形ランプ13の長手方向に沿って突出する脚部30a、およびこれら脚部30aの先端から他方の脚部30aに対して互いに離れるように外側方向に向けて突出する屈曲部30bを有するＬ形に折曲形成されている。そして、一対のランプピン30を備えた口金23，24は、日本電球工業会規格ＪＥＬ８０１「Ｌ形口金付直管形ＬＥＤランプシステム」に準拠しており、例えばＧ１３形口金との互換性がない。
【００１６】
口金23，24の端面で一対のランプピン30間には、ＪＥＬ８０１に規定されていない誤装着防止突起31が突設されている。この誤装着防止突起31は、一対のランプピン30の対向方向に沿って長い直方体形状に形成されている。誤装着防止突起31の長手方向の寸法Ｌはランプピン30の幅寸法W1より長く、幅寸法W2はランプピン30の幅寸法W1より広いかあるいは幅寸法W1以下としている。誤装着防止突起31の口金23，24の端面（突条部29）からの突出寸法Ｈはソケット14，15の説明において関係を述べる。
【００１７】
なお、直管形ランプ13は、両端の口金23，24の一対のランプピン30が平行に突設されており、これら一対のランプピン30が並ぶ方向に平行な面と発光モジュール21の基板27とが平行になるように設けられている。
【００１８】
また、図１および図３に示すように、ソケット14，15（図１および図３にはソケット14のみを示すが、ソケット15も同形状）は、これらソケット14，15の外側面から直管形ランプ13の一対のランプピン30を挿入した後、直管形ランプ13の管軸を中心として９０°回転させることにより装着する回転装着方式が用いられている。
【００１９】
ソケット14，15は、ソケット本体41、このソケット本体41内に配置される回転子42および一対の端子43を備えている。なお、以下、ソケット14，15に関して、器具本体12に取り付ける側を基端、およびその反対側を先端と呼び、装着時に直管形ランプ13の端面に対向する面を前面である受金面44、その反対側を背面、および前面と背面との間を側面と呼ぶ。
【００２０】
ソケット本体41は、絶縁性を有する合成樹脂製であり、背面が開口されたケース46、およびこのケース46の背面に取り付けられるカバー47を備えている。
【００２１】
ケース46の基端には器具本体12に取り付けられる取付部48が設けられ、ケース46の先端面には直管形ランプ13の一対のランプピン30が挿入可能な挿入口49が形成され、ケース46の前面である受金面44には挿入口49が連通されていて挿入口49から挿入された一対のランプピン30の脚部30aが回転可能な円形の開口部50が形成されている。
【００２２】
ケース46内には一対の端子43を保持する一対の端子保持部が形成され、ケース46の基端面には電線挿入孔が形成されている。
【００２３】
ケース46内で、先端の挿入口49とは反対側であってその挿入口49に対向する開口部50の縁部には、壁部51が正面側から背面側に向けて垂直に突出形成されている。この壁部51は、直管形ランプ13がソケット14，15に対して適正な状態で挿入された場合、挿入口49から先に挿入された一方のランプピン30の屈曲部30bが壁部51より背面側に侵入して脚部30aが壁部51に当接し、直管形ランプ13がソケット14，15に対して所定の挿入位置に挿入されるのを許容し、また、例えば、直管形ランプ13がソケット14，15に対して離れている状態で挿入された場合、挿入口49から先に挿入された一方のランプピン30の屈曲部30bの先端が壁部51に当接し、直管形ランプ13がソケット14，15に対して所定の挿入位置に挿入されるのを規制するように構成されている。
【００２４】
また、カバー47の前面には、ケース46の背面を閉塞した状態でケース46に係止される複数の係止部52が形成され、ケース46との間で各端子43を位置決め保持する複数の保持突部53が突設されている。さらに、カバー47の前面には、ケース46の開口部50と同心円位置に、回転子42を回転可能に支持する一対の支持部54が突設されているとともにこれら支持部54の周囲に沿ってガイド壁55が突出形成されている。一対の支持部54間にはランプピン30が通過可能とする溝部54aが形成され、一対の支持部54の先端には回転可能に支持した回転子42を抜け止め係止する爪部54bが形成されている。また、ガイド壁55は、回転子42に所定の回転位置で節度を付与するための切欠部55aが９０°毎に形成されている。また、支持部54の前面は、回転子42の前面より背面側に窪んだ位置に配置され、その窪み寸法は誤装着防止突起31の突出寸法Ｈより大きく、ソケット14，15に装着された直管形ランプ13の誤装着防止突起31と干渉しない寸法とされている。
【００２５】
また、回転子42は、絶縁性を有する合成樹脂製で、カバー47の支持部54の周囲に回転可能に嵌合される円筒状に形成されている。回転子42の前寄り位置には、ランプピン30の通過を許容する溝部57が径方向に沿って形成されている。
【００２６】
回転子42の前部はケース46の開口部50内に回転可能に配置され、この回転子42の前面にはケース46の前面より突出して直管形ランプ13の口金23，24の突条部29がスライド嵌合する一対のガイド突部58が突出形成されている。さらに、回転子42の前面には、支持部54の周囲に回転可能に嵌合する円弧状の嵌合部59が形成され、この嵌合部59に支持部54の爪部54bが係止される段部59aが形成されている。回転子42の後部は支持部54とガイド壁55との間に配置され、この回転子42の後部外周面で溝部57の溝方向と平行な２箇所に、一対の位置決め突部60が突出形成されている。位置決め突部60がガイド壁55の切欠部55aに係合して回転子42の回転位置に節度を付与し、位置決め突部60の周辺で回転子42の一部が弾性変形することで位置決め突部60がガイド壁55の内周面に接触するとともにその内周面を摺動して回転子42の回転が許容される。
【００２７】
また、一対の端子43は、導電性を有する板ばねによって形成され、ケース46とカバー47との間に挟み込まれて保持されている。端子43には、ソケット本体41の電線挿入孔から挿入される電線が接続される電線接続部61、ランプピン30と接続されるランプピン接続部62が形成されている。
【００２８】
そして、挿入口49、回転子42の溝部57、および支持部54の溝部54aの幅寸法は、ランプピン30の幅寸法W1よりわずかに広く、ランプピン30が挿通可能な寸法に形成されている。
【００２９】
また、図１に示すように、ソケット14，15には、ソケット14，15に装着する直管形ランプ13の挿入および回転に伴って、誤装着防止突起31の挿入移動および回転移動を可能とする凹部63が形成されている。この凹部63は、ソケット本体41の挿入口49および回転子42の溝部57の前側領域を共用して形成されているとともに、回転子42の嵌合部59の内側であって支持部54の前側領域に形成されている。凹部63の幅は誤装着防止突起31の幅寸法W2より広く、または、ランプピン30を挿入口49へ挿入するときに、この挿入方向に対して誤装着防止突起31が挿入可能な寸法で、回転子42の前面からの凹部63の深さは誤装着防止突起31の突出寸法Ｈより大きく形成され、凹部63に誤装着防止突起31が挿入可能になっている。
【００３０】
また、図４に、ランプシステム10の電気配線回路の回路図を示す。直管形ランプ13は、一端側の口金23の一対のランプピン30と電源回路22が有する一対の入力端子とがそれぞれ接続され、他端側の口金24の一対のランプピン30が短絡されている。両端のソケット14，15のそれぞれ一方の端子43に交流電源Ｅが供給され、両端のソケット14，15の他方の端子43が電線などで電気接続されている。
【００３１】
次に、このように構成されたランプシステム10において、誤装着防止突起31を有する直管形ランプ13と凹部63を有するソケット14，15との適合した組み合わせで、直管形ランプ13をソケット14，15に装着する場合には、直管形ランプ13の両端の口金23，24から突出する一対のランプピン30をソケット14，15の先端面から所定の挿入位置まで挿入した後、直管形ランプ13の管軸を中心として９０°回転させることにより、直管形ランプ13をソケット14，15に対して電気接続状態に装着することができる。
【００３２】
直管形ランプ13をソケット14，15に挿入する際には、ランプピン30をソケット14，15の挿入口49から回転子42の溝部57および支持部54の溝部54aに挿入する。このとき、誤装着防止突起31がソケット14，15の受金面44に設けられている凹部63（挿入口49、回転子42の溝部57の前側領域）内を移動し、直管形ランプ13の挿入を妨げることがない。
【００３３】
このようにして直管形ランプ13がソケット14，15の所定の挿入位置に挿入されると、挿入口49から先に挿入された一方のランプピン30の屈曲部30bがケース46の壁部51より背面側に侵入して脚部30aが壁部51に当接し、一対のランプピン30が回転子42内に配置され、直管形ランプ13を回転子42とともにソケット14，15に対して回転可能となる。
【００３４】
また、ソケット14，15に対して所定の挿入位置に挿入された直管形ランプ13を回転させる際には、直管形ランプ13の光の出射方向が所定の照射方向に向く方向に、直管形ランプ13の管軸を中心として９０°回転させる。これにより、一対のランプピン30がカバー47の支持部54より外径側で回転子42に当接し、直管形ランプ13と一緒に回転子42が回転する。このとき、誤装着防止突起31は支持部54に干渉することなく支持部54の前側領域の凹部63内を回転移動し、直管形ランプ13の回転を妨げることがない。
【００３５】
そして、直管形ランプ13の回転途中で、一対のランプピン30の脚部30aが一対の端子43のランプピン接続部62に接続される。
【００３６】
回転子42が回転するとき、回転子42の位置決め突部60がガイド壁55の切欠部55aから外れてガイド壁55の内周面を摺動しながら回転しており、一対のランプピン30が所定の装着位置まで回転すると、回転子42の位置決め突部60がガイド壁55の別の切欠部55aに嵌り込み、直管形ランプ13の回転に負荷が加わり、直管形ランプ13を装着位置に回転させたことを確認できる。
【００３７】
直管形ランプ13を所定の装着位置に回転させると、回転子42の溝部57がソケット14，15の挿入口49の位置から外れて開口部50の縁部で閉鎖され、一対のランプピン30がソケット14，15の挿入口49から脱落するのが防止される。さらに、一対のランプピン30の屈曲部30bが端子43の背面側に配置され、ランプピン30がソケット14，15から脱落するのが防止される。
【００３８】
そして、図４に示すように、直管形ランプ13をソケット14，15に接続した状態では、交流電源Ｅの一方の極側が一端側のソケット14から一方のランプピン30を通じて電源回路22に接続されるとともに、他方の極側が他端側のソケット15および他端側の口金24の短絡されている一対のランプピン30を通じるとともに一端側のソケット14から他方のランプピン30を通じて電源回路22に接続される。これにより、一端側の口金23の一対のランプピン30から電源回路22に交流電源Ｅが供給され、電源回路22で交流電源Ｅを所定の直流電力に変換して発光モジュール21に供給し、半導体発光素子26が点灯する。点灯した半導体発光素子26からの光が透光性カバー20を透過して照明器具11の下方の所定の照射方向へ照射される。
【００３９】
なお、直管形ランプ13の一端側の口金23と他端側の口金24とを逆向きでソケット14，15間に装着した場合には、他端側のソケット15から交流電源Ｅが電源回路22に供給されることになる。そのため、直管形ランプ13の装着方向が限定されず、直管形ランプ13の装着作業性がよい。
【００４０】
また、直管形ランプ13を外す場合には、例えば直管形ランプ13を装着時とは反対方向に９０°回転させる。これにより、一対のランプピン30と一緒に回転する回転子42の溝部57がソケット14，15の挿入口49に一致するため、ソケット14，15の挿入口49を通じて一対のランプピン30を抜き外すことができる。このときにも、誤装着防止突起31が凹部63内を移動し、直管形ランプ13を外すのを妨げることはない。
【００４１】
また、誤装着防止突起31を備えた直管形ランプ13を、凹部63を備えない不適合ソケットに装着しようとした場合について説明する。なお、凹部63を備えない不適合ソケットの説明に本実施形態と対応する構成の符号を括弧書きで示す。
【００４２】
直管形ランプ13が誤装着防止突起31の幅寸法W2をランプピン30の幅寸法W1より広くしている場合、すなわち、誤装着防止突起31の幅寸法W2が不適合ソケット(14，15)の挿入口(49)の幅寸法より広い場合、誤装着防止突起31が不適合ソケット(14，15)の挿入口(49)に挿入できずに止まるため、直管形ランプ13を不適合ソケット(14，15)の所定の挿入位置に挿入することができず、直管形ランプ13の誤装着を防止できる。
【００４３】
直管形ランプ13が誤装着防止突起31の幅寸法W2をランプピン30の幅寸法W1以下とした場合、直管形ランプ13のランプピン30を不適合ソケット(14，15)の挿入口(49)から所定の挿入位置まで挿入することは可能であるが、挿入された誤装着防止突起31は支持部(54)の溝部(54a)の内側に嵌まり込むため、直管形ランプ13を回転させる際に、回転しようとする誤装着防止突起31が支持部(54)の溝部(54a)の内壁面に当接して回転が規制されるため、直管形ランプ13を不適合ソケット(14，15)の所定の装着位置に回転させることができず、直管形ランプ13の誤装着を防止できる。
【００４４】
一方、誤装着防止突起31を備えないＪＥＬ８０１に準拠した口金を有する直管形ランプ（以下、不適合直管形ランプと呼ぶ）は、一端側の口金に一対のＬ形ランプピンが突設されているが、他端側の口金には１本のＴ形ピンが突設されているため、口金形状が異なり、本ランプシステム10のソケット14，15間に装着することはできない。仮に、両端のソケット14，15に対して不適合直管形ランプを斜めとした状態で、不適合直管形ランプの一端側の口金の一対のＬ形ランプピンを一端側のソケット14に装着できたとしても、本ランプシステム10では、図４の電気配線回路に示すように、直管形ランプ13の他端側の口金24の一対のランプピン30が短絡されていないと閉回路とならない電気配線回路構成となっているため、交流電源Ｅが不適合直管形ランプに供給されることはなく、誤装着を防止できる。
【００４５】
このように、本実施形態のランプシステム10では、直管形ランプ13の口金23，24に誤装着防止突起31を突設し、ソケット14，15に一対のランプピン30の挿入および回転に伴って誤装着防止突起31が挿入および回転移動する凹部63を設けることにより、適合している直管形ランプ13をソケット14，15に装着できるとともに、この直管形ランプ13を凹部63を備えていない不適合ソケットに誤装着されるのを防止することができる。
【００４６】
また、誤装着防止突起31を口金23，24の端面において一対のランプピン30の間に配置することにより、凹部63はソケット本体の挿入口49および回転子42の溝部57と共用して設けることができ、凹部63を設けてもソケット14，15が複雑化するのを防止できる。しかも、口金23，24の端面からの誤装着防止突起31の突出寸法を大きくしやすく、直管形ランプ13の管長に誤差があっても、不適合なソケットに誤装着されるのを確実に防止できる。
【００４７】
さらに、誤装着防止突起31の幅を一対のランプピン30の幅より広く形成することにより、直管形ランプ13を凹部63を備えないソケット(14，15)の挿入口(49)に挿入するのを規制し、直管形ランプ13の誤装着を防止できる。なお、この場合には長手方向の寸法はランプピン30の幅よりも狭くしてもよい。
【００４８】
さらに、誤装着防止突起31の幅は、一対のランプピン30の幅以下に形成する場合には、例えば、誤装着防止突起31の長さ寸法をランプピン30の幅よりも大きくし、誤装着防止突起31と不適合ソケットの支持部(54)とが干渉するように形成することで、直管形ランプ13のランプピン30を凹部63を備えないソケット(14，15)へ挿入できても、直管形ランプ13が回転するのを規制し、直管形ランプ13の誤装着を防止できる。
【００４９】
また、直管形ランプ13は、交流電源Ｅを変換して半導体発光素子26に供給する電源回路22を内蔵し、一端側の一対のランプピン30が電源回路22にそれぞれ接続され、他端側の一対のランプピン30が短絡されたおり、両端のソケット14，15のそれぞれ一方の端子43に交流電源Ｅが供給され、両端のソケット14，15の他方の端子43が接続されている電気配線回路に構成されているため、不適合な直管形ランプが接続されても給電することがなく、不適合な直管形ランプの誤装着を防止できる。
【００５０】
なお、誤装着防止突起31の位置を対向するランプピン30，30を結ぶ仮想ラインに対してランプピン30よりも外側に偏った位置に形成し、挿入口49を通過させるようにしてもよい。これによって、誤装着防止突起31の幅をランプピン30の幅よりも広くした場合と同様の作用効果を得ることができる。上述したように、本実施形態では誤装着防止突起31によって従来のソケットにおける溝部(57)への侵入を阻止するか、溝部(57)へ挿入した後に回転させたときに支持部(54)と干渉することによって誤挿入を防止するものである。すなわち、誤装着防止突起31は従来のソケットへの挿入を規制できる幅寸法とするか、または、ランプ回転時に従来のソケットの支持部(54)では接触する位置に設けられており、本実施形態のソケット14，15では挿入口49が誤装着防止突起31が挿入可能な幅で形成され、かつ、誤装着防止突起31と支持部54とが干渉しないように凹部63が形成されている。
【００５１】
次に、図６に第２の実施形態を示す。なお、第１の実施形態と同様の構成および作用効果は同一符号を用いてその説明を省略する。
【００５２】
誤装着防止突起31は、口金23，24の端面において、一対のランプピン30の最外径部を通る仮想円ｓより外側位置で、一対のランプピン30の対向方向に対して交差する一側に突設されている。誤装着防止突起31の形状は、例えば四角柱状であるが、円柱や台形などでもよい。両端の口金23，24の誤装着防止突起31は軸方向に同じ位置となるように対象位置に配置され、これら誤装着防止突起31が配置される一対のランプピン30の対向方向に対して交差する一側は、半導体発光素子26からの光の照射方向と同じ側となっている。
【００５３】
凹部63は、ソケット本体41の前面の受金面44の周辺部に沿って挿入口49の片側に溝状に形成されている。
【００５４】
そして、直管形ランプ13をソケット14，15に挿入する際には、直管形ランプ13の誤装着防止突起31とソケット14，15の凹部63との方向を合わせ、直管形ランプ13のランプピン30をソケット14，15の挿入口49から挿入することにより、誤装着防止突起31が凹部63に挿入され、直管形ランプ13の挿入を妨げることがない。
【００５５】
ソケット14，15に対して所定の挿入位置に挿入された直管形ランプ13を回転させる際には、直管形ランプ13の光の出射方向が所定の照射方向に向く方向に、直管形ランプ13の管軸を中心として９０°回転させる。この回転方向は、誤装着防止突起31が凹部63内を回転移動して挿入口49側へ移動する方向に対応している。そのため、誤装着防止突起31はソケット本体41に干渉することなく凹部63内を回転移動し、直管形ランプ13の回転を妨げることがない。
【００５６】
そして、このような誤装着防止突起31を備えた直管形ランプ13を、凹部63を備えない不適合ソケット(14，15)に装着しようとしても、誤装着防止突起31が不適合ソケット(14，15)の周辺部に当接するため、直管形ランプ13を不適合ソケット(14，15)の所定の挿入位置に挿入することができず、直管形ランプ13の誤装着を防止できる。
【００５７】
しかも、凹部63を、ソケット本体41の前面の受金面44の周辺部に沿って挿入口49の片側に形成するため、凹部63に挿入した誤装着防止突起31を凹部63に沿って回転移動させることにより、直管形ランプ13からの光の出射方向を所定の照射方向に必ず向けることができる。
【００５８】
なお、誤装着防止突起31は、口金23，24の端面において、一対のランプピン30の最外径部を通る仮想円ｓより外側位置であれば、例えば、一方のランプピン30に接近した位置、一方のランプピン30の外側位置などどの位置に配置してもよい。そして、誤装着防止突起31の位置に対応して、ソケット本体41の受金面44に凹部63を形成すればよい。
【００５９】
次に、図７に第３の実施形態を示す。なお、各実施形態と同様の構成および作用効果は同一符号を用いてその説明を省略する。
【００６０】
第２の実施形態に対して、凹部63が、ソケット本体41の前面の受金面44の周辺部に沿って挿入口49の両側に溝状に形成されている点が異なる。
【００６１】
このように、凹部63がソケット本体41の周辺部で挿入口49の両側に設けることにより、直管形ランプ13をソケット14，15に挿入する際に方向を合わせる必要がなく、直管形ランプ13の装着作業性がよい。さらに、凹部63を挿入口49の片側のみに設けた場合にはソケット14，15を対向する方向に対称に設けなければならいので共通化できないが、凹部63がソケット本体41の周辺部で挿入口49の両側に設けることにより、ソケット14，15を共通化でき、安価にできる。
【００６２】
次に、図８に第４の実施形態を示す。なお、各実施形態と同様の構成および作用効果は同一符号を用いてその説明を省略する。
【００６３】
誤装着防止突起31は、口金23，24の端面において、一対のランプピン30の最外径部を通る仮想円ｓより内側位置で、一対のランプピン30の対向する方向に対して交差する方向の２箇所に突設されている。誤装着防止突起31の形状は、例えば四角柱状であるが、円柱や台形などでもよい。
【００６４】
凹部63は、ソケット本体41の受金面44および回転子42の前面の２箇所に溝状に形成されている。ソケット本体41の受金面44の凹部63は、挿入口49の両側から開口部50に亘って溝状に形成されれている。回転子42の前面の凹部63は、溝部57の両側に溝状に形成されている。回転子42の溝部57が挿入口49に対向連通した状態で、ソケット本体41の各凹部63と回転子42の各凹部63とが直線状に並んで連通されるとともに、挿入口49および溝部57と平行になる。
【００６５】
そして、直管形ランプ13をソケット14，15に挿入する際には、直管形ランプ13のランプピン30をソケット14，15の挿入口49から挿入することにより、各誤装着防止突起31がソケット本体41の凹部63の部分から挿入されて回転子42の凹部63の部分に移動されるため、直管形ランプ13の挿入を妨げることがない。
【００６６】
ソケット14，15に対して所定の挿入位置に挿入された直管形ランプ13を回転させる際には、直管形ランプ13の光の出射方向が所定の照射方向に向く方向に、直管形ランプ13の管軸を中心として９０°回転させる。このとき、誤装着防止突起31は回転子42と一緒に回転子、直管形ランプ13の回転を妨げることがない。
【００６７】
そして、このような誤装着防止突起31を備えた直管形ランプ13を、凹部63を備えない不適合ソケット(14，15)に装着しようとしても、誤装着防止突起31が不適合ソケット(14，15)の周辺部に当接するため、直管形ランプ13を不適合ソケット(14，15)の所定の挿入位置に挿入することができず、直管形ランプ13の誤装着を防止できる。
【００６８】
次に、図９に第５の実施形態を示す。なお、各実施形態と同様の構成および作用効果は同一符号を用いてその説明を省略する。
【００６９】
一端側のソケット14は装着された直管形ランプ13の一端側の口金23のランプピン30を軸方向に対して保持する構造とし、他端側のソケット15は装着された直管形ランプ13の他端側の口金24のランプピン30を端子43に接続した状態で軸方向に移動可能に支持する構造とする。
【００７０】
これにより、両端の口金23，24にＬ形のランプピン30を備えている直管形ランプ13をソケット14，15間に接続した場合に、点灯時と消灯時の温度の変化による直管形ランプ13の管軸方向の長さの変化に対応することができる。
【００７１】
なお、直管形ランプ13の一端側の口金23がＬ形のランプピン30を備えていれば、他端側の口金24はＬ形のランプピン30ではなく、各軸方向に平行なピン形状など他の形状でもよい。
【００７２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７３】
10    ランプシステム
13    直管形ランプ
14，15    ソケット
20    カバーとしての透光性カバー
22    電源回路
23，24    口金
26    半導体発光素子
30    ランプピン
31    誤装着防止突起
41    ソケット本体
42    回転子
43    端子
44    受金面
49    挿入口
50    開口部
57    溝部
63    凹部
ｓ    仮想円
【図１】
2014067499.tif 000003
【図２】
2014067499.tif 000004
【図３】
2014067499.tif 000005
【図４】
2014067499.tif 000006
【図５】
2014067499.tif 000007
【図６】
2014067499.tif 000008
【図７】
2014067499.tif 000009
【図８】
2014067499.tif 000010
【図９】
2014067499.tif 000011